(57)【要約】  【課題】  一般的なコンセントを利用でき、電気配線をすっきりと処理できるとともに、比較的構成の簡単な壁掛けテレビ吊りシステムを提供する。  【解決手段】  壁掛けテレビ吊りシステム１は、壁掛けテレビＴを吊るフック３と、フック３を吊り下げるワイヤ５と、ワイヤに沿ってスライド可能に固定された、先端にテレビＴへの接続具を有する電気コード７を有する。ワイヤ５の上端は、スライダ１０に係止されている。建物の壁には、レール１５が横に延びるように取り付けられている。レール１５は、スライダ１０がスライドするスライド条部１６ｅ、及び、電気コード７の延長部が這わされる案内凹条部１６ｄを有する。【選択図】  図１
2009207024.tif 000002
【特許請求の範囲】
【請求項１】
壁掛けテレビを吊るフックと、
該フックを吊り下げるワイヤと、
該ワイヤに沿ってスライド可能に固定された、先端にテレビへの接続具を有する電気コードと、
該ワイヤをその上端において係止する係止具付きスライダと、
該スライダがスライドするスライド条部、及び、前記電気コードの延長部が這わされる案内凹条部を有し、建物の壁・天井等に横に延びるように取り付けられるレールと、
を備えることを特徴とする壁掛けテレビ吊りシステム。
【請求項２】
さらに、前記レールが照明具取付部を有することを特徴とする請求項１記載の壁掛けテレビ吊りシステム。
【発明の詳細な説明】
【技術分野】
【０００１】
本発明は、薄型の壁掛けテレビ（表示装置）を吊り下げるシステムに関する。特には、テレビ用の電気配線をすっきりと処理できる壁掛けテレビ吊りシステムに関する。
【背景技術】
【０００２】
近年では、液晶ディスプレイやプラズマディスプレイを使用した薄型のテレビが広く普及している。このような薄型テレビは、壁に沿って吊るすと、設置スペースをとることがなく、一般家庭用のみでなく広告用などにも適用でき、汎用性が広がる。
【０００３】
薄型テレビを吊るすには、専用の吊り下げ装置が必要になる。また、テレビと電源との間に電気コードを配線する必要がある。電源として一般家庭の壁に設けられたコンセントを使用する場合、テレビからコンセントまで電気コードが延びることになり、見栄えが悪くなる。
【０００４】
そこで、専用の吊り下げ装置が不要で、電気コードを露出しないように処理できる装置が提案されている（例えば、特許文献１）。この装置は、壁掛けテレビを天井や壁から中空の支持部材で吊り下げるもので、この支持部材内に電気配線が収容される。支持部材の一端には、照明器具取り付け及び導通用のシーリングローゼットに接続されるプラグが設けられている。プラグをシーリングローゼットに接続することにより、壁掛けテレビの保持（吊り下げ）と電気コードの導通とを行う。
【０００５】
一般的な家庭では、壁に設けられたコンセントを電源として利用する場合が多いと考えられるが、この特許文献では、シーリングローゼットを利用する例が示されてはいるが、他の電源（コンセントなど）を利用する例は特に示されていない。一般の家庭では、照明器具用のシーリングローゼットは照明器具用として利用されており、照明器具以外の電気製品に利用されるケースは少ない。
また、テレビの設置位置は、照明設備が設置できるところに限られる。
【０００６】
【特許文献１】特開２００７−２７１７９３
【発明の開示】
【発明が解決しようとする課題】
【０００７】
本発明は上記の問題点に鑑みてなされたものであって、一般的なコンセントを利用でき、電気配線をすっきりと処理できるとともに、比較的構成の簡単な壁掛けテレビ吊りシステムを提供することを目的とする。
【課題を解決するための手段】
【０００８】
本発明の壁掛けテレビ吊りシステムは、  壁掛けテレビを吊るフックと、  該フックを吊り下げるワイヤと、  該ワイヤに沿ってスライド可能に固定された、先端にテレビへの接続具を有する電気コードと、  該ワイヤをその上端において係止する係止具付きスライダと、  該スライダがスライドするスライド条部、及び、前記電気コードの延長部が這わされる案内凹条部を有し、建物の壁・天井等に横に延びるように取り付けられるレールと、を備えることを特徴とする。
【０００９】
本発明によれば、壁掛けテレビ電源用の電気コードが露出している部分は、レールとテレビ間のみとなるので、電気コードをすっきりと処理することができる。また、テレビの吊り位置を比較的簡単な手段で変更することができる。なお、フックは吊り具及び連結具（ネジなど）を広く意味する。
【００１０】
本発明によれば、前記レールが照明具取付部を有することとすれば、壁掛けテレビの取り付けと合わせて、間接照明用などの照明機器を取り付けることができ、インテリア用品としても用途が広がる。
【発明の効果】
【００１１】
以上の説明から明らかなように、本発明によれば、電源用の電気コードをすっきりと処理することができる壁掛けテレビ吊りシステムを提供できる。さらに、壁掛けテレビの取り付けと合わせて、間接照明用などの照明機器を取り付けることができ、インテリア用品としても用途が広がる。
【発明を実施するための形態】
【００１２】
以下、本発明の実施の形態について、図面を参照しながら詳細に説明する。
図１は、本発明の第１の実施の形態に係る壁掛けテレビ吊りシステムの構成を説明する斜視図である。
図２は、レールの構造を示す側面図である。
図３は、レールの壁への取付方法を説明する図である。
図４は、スライドとレールとの係合状態を説明する側面図である。
図１に示すように、壁掛けテレビ吊りシステム１は、壁掛けテレビＴを吊るフック３と、フック３を吊り下げるワイヤ５を備える。また、このワイヤ５に沿ってスライド可能に固定された、先端にテレビへの接続具を有する電気コード７ａと、ワイヤ５の上端が係止されるスライダ１０とを備える。さらに、テレビの設置される建物の壁や天井に横に延びるように取り付けられた、スライダ１０がスライドするレール１５を備える。
【００１３】
まず、図２を参照してレールの構造を説明する。
レール１５は、各図の左側に示される、断面がＨ字状の本体部１６と、各図の右側に示される、略円弧状の延長部１７とを有する。本体部１６は、平行な表縦壁１６ａ及び裏縦壁１６ｂと、両縦壁間の中央よりやや下方の横壁１６ｃを有し、横壁１６ｃによって上凹部１６ｄと下凹部１６ｅとに分けられている。後述するように、上凹部１６ｄは電気コード７ａが這わされる部分（案内凹条部）であり、下凹部１６ｅはスライダ１０が収容される部分（スライド条部）である。両縦壁の上下端は内側に折り曲げられている。下端の折り曲げ部には、スライダが乗ってスライドする（スライダ係合部１６ｆという）。
【００１４】
延長部１７は、表縦壁１６ａの下端から、斜め上方向に湾曲しながら延びる円弧部１７ａを有する。図２（Ａ） の円弧部１７ａは、側面形状が略四分の一円弧状であり比較的短く、図２（Ｂ）の円弧部１７ａは、側面形状がアールの大きい円弧状であり比較的長い。この円弧部１７ａと本体部１６の前壁１６ａとで照明器具取り付け用の空間１７ｂが形成される。円弧部１７ａの先端には、カバープレート１７ｃが、本体部１６の縦壁１６ａとほぼ平行となるように取り付けられている。カバープレート１７ｃは、取り外し可能であってもよい。カバープレート１７ｃは、アルミニウムやアクリル板で作製される。
【００１５】
表縦壁１６ａの外面の中央や円弧部１７ａの先端の内側には、断面がほぼ円形の溝がレールの長さ方向に延びている。この溝には、レール１５を長さ方向に連結する際に、隣り合うレールを連結する連結バーが嵌め込まれる。この連結バーにより、複数のレール１５をまっすぐに連結できる。
【００１６】
図３を参照して、レール１５の壁への取付方法を説明する。
レール１５は、壁を支持する軽量鉄骨Ｆに固定される。このため、レール１５を取り付ける前に、レール１５の裏側縦壁１６ｂと前側縦壁１６ａに、軽量鉄骨Ｆの間隔を開けて、各々取付孔１６ｇとドライバー差し込み孔１６ｈを開けておく。そして、レール１５の取付孔１６ｇの位置と、軽量鉄骨Ｆの位置とが合うように、レール１５を位置決めして壁に当てる。そして、表側縦壁１６ａのドライバー挿入孔１６ｈからドライバーを差し込んで、ネジＳを裏側縦壁１６ｂの取付孔１６ｇに通して裏側縦壁１６ｂを壁を介して軽量鉄骨Ｆに固定する。
【００１７】
次に、図１、図４を参照してスライダの構造を説明する。
スライダ１０は、例えば、本発明者が提案した特開２００４−３５８２２８に記載されている脱着型ワイヤ止め具と同様の機構・構成を有することができ、レール１５の下凹部１６ｅに収容されて、スライダ係合部１６ｆに係合する係合部１１と、この係合部１１の下部に設けられた、ワイヤ吊り部１２とを有する。係合部１１は、レール１５に係合してスライド可能な状態、スライド不能かつレールから取り外し不能な状態、及び、レールから取り外し可能な状態をとることができる。ワイヤ吊り部１２には、ワイヤ５が固定されている。このワイヤ５の下端には、図１に示すように、テレビＴの取付孔Ｍに係合するフック３が取り付けられている。なお、ワイヤ吊り部１２やフック３は、ワイヤ５が予め固定されているものでもよく、ワイヤ５の任意の位置に係止可能なものでもよい。ワイヤ吊り部１２とフック３のいずれか一方が、ワイヤ５の任意の位置に係止可能なものであれば、ワイヤ５の吊り下げ長さを調節することができる。
【００１８】
図１、図４に示すように、スライダ１０の係合部１１は、ワッシャ２０を介して、レール１５の係合部１６ｆに乗っている。ワッシャ２０は、楕円形の形状で、スライダ１０の係合部１１が貫通する孔２０ａと、後述する、電気コード７ａが貫通する孔２０ｂとが並んで開けられており、係合部１６ｆの下方に配置される。
【００１９】
次に、電気コード７ａを壁のコンセントに接続されたＦケーブル７ｂから延長する方法について説明する。
図５は、電気コードを延長する方法を説明する図である。
まず、壁の裏側のコンセントＷの接点からＦケーブル７ｂを上方に延ばす。そして、壁に孔を開けて、同孔からＦケーブル７ｂを壁の表側に引き出す。このとき、予め、レール１５の上側凹部１６ｄの裏壁１６ｂに孔１６ｉを開けておき、壁孔から引き出したＦケーブル７ｂを裏側壁１６ｂの孔１６ｉから上凹部１６ｄ内に入れる。Ｆケーブル７ｂはこの上凹部１６ｄ内で、接続ボックス３１を介して多芯の電気コード７ａに接続される。そして、この電気コード７ａを、同凹部１６ｄ内でテレビ吊り下げ位置まで這わせる。この間、電気コード７ａはレール１５の前壁１６ａで隠れているので、露出しない。なお、接続ボックス３１の代わりにラインコンセントを使用してもよい。
【００２０】
図１、図４などに示すように、テレビ吊り下げ位置において、レール１５の横壁１６ｃに、予め貫通孔１６ｊを開けておく。電気コード７ａが吊り下げ位置まで這わされると、そこで横壁１６ｃの孔１６ｊを通って下方に曲げる。そして、図１に示すように、ワッシャ２０の貫通孔２０ｂを通して、ワイヤ５と並行に下方に延ばす。電気コード７ａとワイヤ５とは、途中の部分で、ガイド２３により固定されていてもよい。テレビＴまで延びると、ワイヤ５の下端に取り付けられたフック３と電気コード７ａはガイド２４で固定される。そして、フック３はテレビＴの取付孔Ｍに係合され、電気コード７ａの先端はテレビＴの電源供給口に接続される。
【００２１】
このように、本発明によれば、電気コード７ａはほとんどの部分がレール１５内に配線されており、露出する部分は、吊り下げ位置において、レール１５からテレビＴまで、ワイヤ５とほぼ並行に延びる部分のみである。このため、コンセントの表側から電気コードを接続する場合に比べて電気コードをきれいに処理できる。また、壁に取り付けられたレール１５は表側の面（延長部１７の円弧部１７ａとカバープレート１７ｃ）が露出している。これらの部分の外観は見栄え良く仕上げられているので、インテリアの一部としても好適である。カバープレート１７ｃを所望の色とすれば、よりきれいな外観を与えることができる。
【００２２】
なお、この壁掛けテレビ吊りシステムは、レール１５の設置と、電気コード７ａの配線までの処理とを、建物の建築時に予め行っておくことが好ましい。
【００２３】
吊り下げ位置を変えるには、スライダ１０の係合部１１をスライド可能な状態として、スライダ１０をレール１５の下凹部１６ｅ内でレール１５に沿って所望の位置にスライドさせればよい。この際、電気コード７ａはいったんテレビＴから外しておき、スライダ１０を所望の位置までスライドさせた後に、再度レールの横壁に孔を開けて電気コード７ａを通せばよい。この際、電気コード７ａの弛んだ部分は、まとめてレール１５の上凹部１６ｄに収容する。
【００２４】
図６は、本発明の第２の実施の形態に係る壁掛けテレビ吊りシステムを説明する図である。
図７は、図６の壁掛けテレビ吊りシステムの側面図である。
この例では、本発明の壁掛けテレビ吊りシステム１に、蛍光灯などの照明器具Ｌを取り付ける方法を説明する。
【００２５】
照明器具は、レール１５の本体部１６の前壁１６ａと延長部１７の円弧部１７ａで囲まれた照明器具取り付け用空間１７ｂに配置されて、台座が前壁１６ａに固定される。なお、予め、前述のように電気コード７ａをレール１５の上凹部１６ｄに引き出しておく。そして、前壁１６ａに孔１６ｋを開けて置き、この孔１６ｋから、電気コード７ａを上凹部１６ｄから前壁１６ａの前方の空間１７ｂに引き出して蛍光灯Ｌに接続する。
【００２６】
なお、レール１５の前壁１６ａに、蛍光灯Ｌを位置決めする突起１６ｍなどを設けておけば、蛍光灯Ｌの取付が容易になる。
【図面の簡単な説明】
【００２７】
【図１】本発明の第１の実施の形態に係る壁掛けテレビ吊りシステムの構成を説明する斜視図である。
【図２】レールの構造を示す側面図である。
【図３】レールの壁への取付方法を説明する図である。
【図４】スライドとレールとの係合状態を説明する側面図である。
【図５】電気コードを延長する方法を説明する図である。
【図６】本発明の第２の実施の形態に係る壁掛けテレビ吊りシステムを説明する図である。
【図７】図６の壁掛けテレビ吊りシステムの側面図である。
【符号の説明】
【００２８】
１  壁掛けテレビ吊りシステム              ３  フック
５  ワイヤ
７ａ  電気コード                        ７ｂ  Ｆケーブル
１０  スライダ                            １１  係合部
１２  ワイヤ吊り部                        １５  レール
１６  本体部                              １７  延長部
２０  ワッシャ                            ２３、２４  ガイド
３１  接続ボックス
【図１】
2009207024.tif 000003
【図２】
2009207024.tif 000004
【図３】
2009207024.tif 000005
【図４】
2009207024.tif 000006
【図５】
2009207024.tif 000007
【図６】
2009207024.tif 000008
【図７】
2009207024.tif 000009